(57)【要約】【課題】コンテンツの画像データに基づく画像が表示されることによってもたらされる悪影響を効果的に防止することができる画像表示制御装置及び画像表示装置を提供する。【解決手段】コンテンツから外部画像データ（OＤ）を入力するＩ／Ｆ部１１と、画像データに基づく画像を表示するモニタ３を備えるテレビジョン受像機１００が、コンテンツに記憶された所定の画像の画像データを判定画像データ（ＪＤ）として記憶部１２に記憶させるＪＤ記憶制御手段（ＣＰＵ１４）と、入力されたＯＤ中に記憶されたＪＤと同一の画像データがあるか否かを判断する判断手段（ＣＰＵ１４）と、ＯＤ中にＪＤと同一の画像データがあると判断された場合に、ＯＤが入力された日時と入力された回数を履歴情報として記憶部１２に記憶させる履歴情報記憶制御手段（ＣＰＵ１４）と、履歴情報をモニタ３に表示させる履歴情報表示制御手段（ＣＰＵ１４）を備える。【選択図】図２
2006235542.tif 000002
【特許請求の範囲】
【請求項１】
画像データを含むコンテンツの起動時における起動画像に係る起動画像データを含む外部画像データを入力してなる画像データ入力手段と、
画像データに基づく画像を表示する表示手段と、
を備える画像表示装置において、
所定の起動画像に係る起動画像データを、予め判定画像データとして記憶手段に記憶させる判定画像データ記憶制御手段と、
前記外部画像データ中に、前記記憶手段に記憶された前記判定画像データと同一の起動画像データがあるか否かを判断する判断手段と、
前記判断手段によって、前記外部画像データ中に、前記判定画像データと同一の起動画像データがあると判断された場合に、前記外部画像データが入力された日時と、当該外部画像データが入力された回数を、履歴情報として、前記記憶手段に記憶させる履歴情報記憶制御手段と、
前記記憶手段に記憶された履歴情報を前記表示手段に表示させる履歴情報表示制御手段と、
前記判断手段によって、前記外部画像データ中に、前記判定画像データと同一の起動画像データがあると判断された場合に、前記表示手段における画像の表示を停止させてなる表示停止手段と、
前記履歴情報記憶制御手段と、前記履歴情報表示制御手段による動作を実行させるモードと、前記表示停止手段による動作を実行させるモードの、いずれかのモードを選択可能なモード選択手段と、
を備えることを特徴とする画像表示装置。
【請求項２】
画像データを含むコンテンツから外部画像データを入力してなる画像データ入力手段と、
画像データに基づく画像を所定の表示部に表示させる表示制御手段と、
を備える画像表示制御装置において、
前記コンテンツに記憶された所定の画像に係る画像データを、予め判定画像データとして所定の記憶部に記憶させる判定画像データ記憶制御手段と、
前記画像データ入力手段を介して入力された外部画像データの中に、前記記憶部に記憶された判定画像データと同一の画像データがあるか否かを判断する判断手段と、
前記判断手段によって、前記外部画像データ中に、前記判定画像データと同一の画像データがあると判断された場合に、前記外部画像データが入力された日時と、当該外部画像データが入力された回数を、履歴情報として前記記憶部に記憶させる履歴情報記憶制御手段と、
前記記憶部に記憶された履歴情報を前記表示部に表示させる履歴情報表示制御手段と、
を備えることを特徴とする画像表示制御装置。
【請求項３】
請求項２に記載の画像表示制御装置において、
前記判断手段によって、前記外部画像データ中に、前記判定画像データと同一の画像データがあると判断された場合に、前記表示部における画像の表示を停止させてなる表示停止手段を備えることを特徴とする画像表示制御装置。
【請求項４】
請求項３に記載の画像表示制御装置において、
前記履歴情報記憶制御手段と、前記履歴情報表示制御手段による動作を実行させるモードと、前記表示停止手段による動作を実行させるモードと、のいずれかのモードを選択可能なモード選択手段と、を備えることを特徴とする画像表示制御装置。
【請求項５】
画像データを含むコンテンツから外部画像データを入力してなる画像データ入力手段と
、
画像データに基づく画像を所定の表示部に表示させる表示制御手段と、
を備える画像表示制御装置において、
前記コンテンツに記憶された所定の画像に係る画像データを判定画像データとして所定の記憶部に記憶させる判定画像データ記憶制御手段と、
前記画像データ入力手段を介して入力された外部画像データの中に、前記記憶部に記憶された判定画像データと同一の画像データがあるか否かを判断する判断手段と、
前記判断手段によって、前記外部画像データ中に、前記判定画像データと同一の画像データがあると判断された場合に、前記外部画像データに基づく画像を前記表示部に表示させる外部画像データ表示制御手段と、
を備えることを特徴とする画像表示制御装置。
【請求項６】
請求項２〜５の何れか一項に記載の画像表示制御装置において、
前記画像データを含むコンテンツの所定の画像が、前記コンテンツの起動時に起動される起動画像であることを特徴とする画像表示制御装置。
【発明の詳細な説明】
【技術分野】
【０００１】
本発明は、画像表示制御装置及び画像表示装置に関する。
【背景技術】
【０００２】
昨今、例えば、テレビジョン受像機に、家庭用ゲーム機器（以下、「ゲーム機器」という。）を接続して、当該ゲーム機器から送信された画像データに基づいてテレビジョン受像機のモニタに表示された画像に対して各種操作を行うことにより画像をコントロールして遊ぶ、所謂テレビゲームが広く浸透している。
【０００３】
より具体的には、テレビゲームは、テレビジョン受像機のモニタに表示された画像に基づいて、例えばゲーム機器に接続されたコントローラを操作して各種指示を入力することにより、モニタ上の画像表示を変化させて遊ぶものである。
【０００４】
そのため、例えば、子どもの親は、モニタを長時間視認することによる眼球の疲労によってもたらされる視力の低下といった健康面での問題のみならず、ゲームの内容が子どもの人格形成に与え得る悪影響を危惧して、ゲーム機器の使用を制限したいと考える。
【０００５】
ゲーム機器の使用を制限する方法としては、例えば、ゲーム機器やＶＴＲの使用時間を制限したり、ゲームソフトウェアの変更回数を制限することによって、子どもが長時間に亘りゲームをしたり、ＶＴＲソフトウェアを視聴することを防ぐ機器制御装置（例えば、特許文献１参照）や、所定の時間を超えてゲームをしようとすると、強制的にゲームが終了されることにより子どもによるビデオゲームの長時間の使用を防止することができるビデオゲーム装置（例えば、特許文献２参照）等が知られている。
【特許文献１】特開平８−２８７３０９号公報
【特許文献２】特開２００１−２１８９７６号公報
【発明の開示】
【発明が解決しようとする課題】
【０００６】
しかしながら、全てのゲームが子どもに悪影響を与えるわけではなく、その内容によっては、子どもの発育に好ましい影響を与え得るゲームも存在する。また、ある程度の年齢に達した子どもに対しては、親は助言をするに留まり、最終的な判断を自己判断に委ねることが好ましい場合も考えられる。
【０００７】
特許文献１の公知技術によっては、所定時間の経過や、ゲームソフトウェアの変更に基づいて出力をオフにするか否かの判断が行われるものであって、特許文献２の公知技術によっても、使用時間を基準に電源をオフにするか否かの判断が行われるものであるため、ゲームの内容に係らず全てのゲームに対してこれらの制限がかけられてしまうこととなる。
【０００８】
そこで、本発明の課題は、画像データを含むコンテンツの画像データに基づく画像が表示されることによってもたらされる悪影響を効果的に防止することができる画像表示制御装置及び画像表示装置を提供することである。
【課題を解決するための手段】
【０００９】
以上の課題を解決すべく、請求項1に記載の発明は、画像データを含むコンテンツの起
動時における起動画像に係る起動画像データを含む外部画像データを入力してなる画像データ入力手段と、画像データに基づく画像を表示する表示手段と、を備える画像表示装置において、所定の起動画像に係る起動画像データを、予め判定画像データとして記憶手段に記憶させる判定画像データ記憶制御手段と、前記外部画像データ中に、前記記憶手段に記憶された前記判定画像データと同一の起動画像データがあるか否かを判断する判断手段と、前記判断手段によって、前記外部画像データ中に、前記判定画像データと同一の起動
画像データがあると判断された場合に、前記外部画像データが入力された日時と、当該外部画像データが入力された回数を、履歴情報として、前記記憶手段に記憶させる履歴情報記憶制御手段と、前記記憶手段に記憶された履歴情報を前記表示手段に表示させる履歴情報表示制御手段と、前記判断手段によって、前記外部画像データ中に、前記判定画像データと同一の起動画像データがあると判断された場合に、前記表示手段における画像の表示を停止させてなる表示停止手段と、前記履歴情報記憶制御手段と、前記履歴情報表示制御手段による動作を実行させるモードと、前記表示停止手段による動作を実行させるモードの、いずれかのモードを選択可能なモード選択手段と、を備えることを特徴とする。
【００１０】
請求項２に記載の発明は、画像データを含むコンテンツから外部画像データを入力してなる画像データ入力手段と、画像データに基づく画像を所定の表示部に表示させる表示制御手段と、を備える画像表示制御装置において、前記コンテンツに記憶された所定の画像に係る画像データを、予め判定画像データとして所定の記憶部に記憶させる判定画像データ記憶制御手段と、前記画像データ入力手段を介して入力された外部画像データの中に、前記記憶部に記憶された判定画像データと同一の画像データがあるか否かを判断する判断手段と、前記判断手段によって、前記外部画像データ中に、前記判定画像データと同一の画像データがあると判断された場合に、前記外部画像データが入力された日時と、当該外部画像データが入力された回数を、履歴情報として前記記憶部に記憶させる履歴情報記憶制御手段と、前記記憶部に記憶された履歴情報を前記表示部に表示させる履歴情報表示制御手段と、を備えることを特徴とする。
【００１１】
請求項３に記載の発明は、請求項２に記載の画像表示制御装置において、前記判断手段によって、前記外部画像データ中に、前記判定画像データと同一の画像データがあると判断された場合に、前記表示部における画像の表示を停止させてなる表示停止手段を備えることを特徴とする。
【００１２】
請求項４に記載の発明は、請求項３に記載の画像表示制御装置において、前記履歴情報記憶制御手段と、前記履歴情報表示制御手段による動作を実行させるモードと、前記表示停止手段による動作を実行させるモードと、のいずれかのモードを選択可能なモード選択手段と、を備えることを特徴とする。
【００１３】
請求項５に記載の発明は、画像データを含むコンテンツから外部画像データを入力してなる画像データ入力手段と、画像データに基づく画像を所定の表示部に表示させる表示制御手段と、を備える画像表示制御装置において、前記コンテンツに記憶された所定の画像に係る画像データを判定画像データとして所定の記憶部に記憶させる判定画像データ記憶制御手段と、前記画像データ入力手段を介して入力された外部画像データの中に、前記記憶部に記憶された判定画像データと同一の画像データがあるか否かを判断する判断手段と、前記判断手段によって、前記外部画像データ中に、前記判定画像データと同一の画像データがあると判断された場合に、前記外部画像データに基づく画像を前記表示部に表示させる外部画像データ表示制御手段と、を備えることを特徴とする。
【００１４】
請求項６に記載の発明は、請求項２〜５の何れか一項に記載の画像表示制御装置において、前記画像データを含むコンテンツの所定の画像が、前記コンテンツの起動時に起動される起動画像であることを特徴とする。
【発明の効果】
【００１５】
請求項１に記載の発明によると、予め記憶された所定の起動画像に係る判定画像データを有する画像データを含むコンテンツが起動された場合に限って、当該コンテンツが起動された日時とその回数が記憶され、後でこれを確認することができる。
【００１６】
これにより、記憶された日時とその回数に基づいてコンテンツの起動状況を把握するこ
とができることとなって、例えば、親が、子供がどの程度特定のコンテンツを使用しているかを把握出来ることとなり、子供の自主性を重んじながらも、必要によっては注意を促すことができる。
【００１７】
従って、コンテンツの画像データに基づく画像が表示されることによってもたらされる悪影響を効果的に防止することができる。
【００１８】
また、予め特定のコンテンツを選択して判定画像データを設定することが出来るため、例えば、パレンタルコードのように一律な規制ではなく、子供の成長に合わせた、柔軟性のある効果的な制限をかけることができる。
【００１９】
さらに、予め特定された所定の起動画像に係る判定画像データを有するコンテンツが起動された場合に限って、表示部に画像が表示されないこととなる。
【００２０】
これにより、例えば、親が子供に対して悪影響が著しいと判断したコンテンツの場合には、注意を促すだけではなく、強制的に画像の表示を停止させることができるため、コンテンツの画像データに基づく画像が表示されることによってもたらされる悪影響を更に効果的に防止することができる。
【００２１】
その上、履歴情報を記憶して、記憶された履歴情報を表示するモードと、表示部における画像表示を停止させるモードとの何れか一方のモードを選択して実行することができることにより、必要に応じて各モードでの処理を切替えることができ、利便性が向上する。
【００２２】
そして、起動時に起動される起動画像に係る起動画像データを判定画像データとして、外部画像データと同一であるか否かの判断がされることとなるため、コンテンツの起動時に判断が行われることとなり、早い段階で、履歴情報を記憶したり、画像表示を停止することができる。
【００２３】
請求項２に記載の発明によると、予め記憶された所定の画像に係る判定画像データを有する画像データを含むコンテンツが起動された場合に限って、当該コンテンツが起動された日時とその回数が記憶され、後でこれを確認することができる。
【００２４】
これにより、記憶された日時とその回数に基づいてコンテンツの起動状況を把握することができることとなって、例えば、親が、子供がどの程度特定のコンテンツを使用しているかを把握出来ることとなり、子供の自主性を重んじながらも、必要によっては注意を促すことができる。
【００２５】
従って、コンテンツの画像データに基づく画像が表示されることによってもたらされる悪影響を効果的に防止することができる。
【００２６】
また、予め特定のコンテンツを選択して判定画像データを設定することが出来るため、例えば、パレンタルコードのように一律な規制ではなく、子供の成長に合わせた、柔軟性のある効果的な制限をかけることができる。
【００２７】
請求項３に記載の発明によると、請求項２に記載の発明の効果が得られるのは無論のこと、特に、予め特定された所定の画像に係る判定画像データを有するコンテンツが起動された場合に限って、表示部に画像が表示されないこととなる。
【００２８】
これにより、例えば、親が子供に対して悪影響が著しいと判断したコンテンツの場合には、注意を促すだけではなく、強制的に画像の表示を停止させることができるため、コンテンツの画像データに基づく画像が表示されることによってもたらされる悪影響を効果的に防止することができる。
【００２９】
請求項４に記載の発明によると、請求項３に記載の発明の効果が得られるのは無論のこと、特に、履歴情報を記憶して、記憶された履歴情報を表示するモードと、表示部における画像表示を停止させるモードとの何れか一方のモードを選択することができる。これにより、必要に応じて各モードでの処理を切替えることができ、利便性が向上する。
【００３０】
請求項５に記載の発明によると、予め記憶された所定の画像に係る判定画像データを有するコンテンツが起動された場合に限って、当該コンテンツから出力された外部画像デー
タに基づく画像が表示部に表示されることとなる。
【００３１】
即ち、子どもに悪影響を与えないと判断された所定のコンテンツが起動された場合に限って、選択的に、当該コンテンツの画像データに基づく画像が表示部に表示されることとなる。
【００３２】
これにより、子どもに悪影響を与えないと判断されたコンテンツの画像が表示部に表示されることとなるため、例えば、親が子供に対して悪影響が著しいと判断したコンテンツについては、当該コンテンツの画像データを判定画像データとして設定しないことにより、コンテンツの画像データに基づく画像が表示されないこととなり、子どもに対する悪影響を効果的に防止することができる。
【００３３】
また、予め特定のコンテンツを選択して判定画像データを設定することが出来るため、パレンタルコードのように一律な規制ではなく、子どもの成長に合わせた、柔軟性のある効果的な制限をかけることができる。
【００３４】
請求項６に記載の発明によると、請求項２〜５の何れか一項に記載の発明の効果が得られるのは無論のこと、特に、起動時に起動される起動画像に係る起動画像データを判定画像データとして、外部画像データと同一であるか否かの判断がされることとなるため、コンテンツの起動時に判断が行われることとなり、早い段階で、履歴情報を記憶したり、画像表示を停止することができる。
【発明を実施するための最良の形態】
【００３５】
［実施形態１］
以下に、本発明の第１の実施形態を、図面を参照しながら詳細に説明する。ただし、発明の範囲は図示例に限られない。
【００３６】
図１は、本発明を適用した好適な実施の形態として例示する、画像表示装置としてのテレビジョン受像機１００と、テレビジョン受像機１００に設けられた外部機器接続用ケーブルＫを介して、テレビジョン受像機１００と電気的に接続される外部機器としてのゲーム機器２である。
【００３７】
ゲーム機器２には、テレビジョン受像機１００のモニタ（後述する）に表示された画像に基づいて、各種指示を入力するためのコントローラ２１が接続されている。当該コントローラ２１を介して指示を入力することにより、モニタ上の画像表示を変化させて遊ぶことができる。
【００３８】
ゲーム機器２には、各種入力部を介して記録媒体２２がセットされる。記録媒体２２としては、例えば、磁気的または光学的に記録を行うものが挙げられ、ＶＣＤ（Video Compact  Disc）やコンパクトフラッシュ（登録商標）、スマートメディア（登録商標）、メ
モリスティック（登録商標）、メモリカードなどが用いられる。記録媒体２２には、ゲームの画像データを含むコンテンツが格納されている。
【００３９】
ゲーム機器２の制御部（図示省略）は、例えば、当該記録媒体２２に格納されたプログラムを読み出して、当該プログラムを、コントローラ２１より入力された指示に従って実行することにより画像データを取得し、取得した画像データを、外部機器接続用ケーブルＫを介してテレビジョン受像機１００に送信する。
【００４０】
尚、ゲーム機器２が取得するプログラムは、記録媒体２２から取得されるものに限られず、例えばゲーム機器２に接続された電気通信回線を介して取得されたものであってもよい。
【００４１】
図２は、テレビジョン受像機１００の内部構成を示すブロック図である。テレビジョン受像機１００は、電気的に接続されたゲーム機器２から、音声データと画像データを受信する信号処理部１と、信号処理部１より出力された画像データに基づく画像を表示する、表示手段としてのモニタ３と、信号処理部１より出力された音声データに基づいて音声を
出力するスピーカ４と、等を備えて構成される。
【００４２】
図２に示すように、画像表示制御装置としての信号処理部１は、画像データ入力手段としてのＩ／Ｆ部１１と、記憶手段としての記憶部１２と、操作部１３と、ＣＰＵ（Central  Processing  Unit）１４と、ＲＡＭ（Random  Access  Memory）１５と、ＲＯＭ（Read  Only  Memory）１６と、等を備えて構成される。Ｉ／Ｆ部１１、記憶部１２、操作部
１３、ＣＰＵ１４、ＲＡＭ１５、ＲＯＭ１６はバスＢで接続されている。
【００４３】
Ｉ／Ｆ部１１は、ゲーム機器２等との間で信号や各種データを入出力するためのインターフェイスであり、例えば、ＵＳＢ（Universal Serial Bus）ポートやＲＳ−４８５Ｃ端子をはじめとするシリアル入出力端子、パラレル入出力端子、ＳＣＳＩインターフェイス、ＩｒＤＡ（Infrared Data Association）規格に準じた赤外線通信装置等が備えられ、
ここに、外部機器接続用ケーブルＫが接続されている。
【００４４】
また、Ｉ／Ｆ部１１より、モニタ３に画像データが出力され、スピーカ４に音声データが出力される。
【００４５】
Ｉ／Ｆ部１１を介してゲーム機器２より送信される画像データは、コンテンツの起動時において表示される起動画像に係る起動画像データが含まれる。
【００４６】
ここで、起動画像とは、例えば、コンテンツを起動した際に先ず表示される製作会社等のロゴマークを含む画像であっても良いが、好ましくは、さらにその後に表示される各コンテンツ固有のマークやタイトル文字等を含む画像である。本実施形態においては、コンテンツ固有のマークやタイトル文字を含む画像を起動画像とした。
【００４７】
また、以下の説明においては、ゲーム機器２から送信されて、Ｉ／Ｆ部１１を介してテレビジョン受像機１００によって受信される画像データを、外部画像データと称して用いる。
【００４８】
記憶部１２は、データの書き換えが可能な不揮発性メモリであって、例えば、ＥＰＲＯＭ（Erasable Programmable ROM）、ＥＥＰＲＯＭ（Electrically Erasable Programmable ROM）、フラッシュメモリ、強誘電体メモリなどを用いることができる。
【００４９】
具体的には、記憶部１２は、判定画像データ（後述する）と、履歴情報に係る履歴情報ファイル（後述する）と、等を格納する。
【００５０】
操作部１３は、操作パネルやリモコン（図示省略）等の入力素子を備えている。ユーザがこれらの入力素子を用いてカーソル操作、アイコン指定、数字入力といった操作を行うことによって、例えば、メニュー画像における項目の選択、パラメータの設定等の各種処理の実行を指示する指示データが入力される。操作部１３は、入力された指示データをＣＰＵ１４に出力する。
【００５１】
ＣＰＵ１４は、所定のタイミング或いは操作部１３等を介して入力された指示に応じて、ＲＯＭ１６に格納された各種システムプログラムに従って、テレビジョン受像機１００を構成する各部への指示やデータの転送等を行うことによりテレビジョン受像機１００の動作全般を統括制御する。
【００５２】
ＲＡＭ１５は、ＣＰＵ１４のワークエリアとして用いられ、ＲＯＭ１６から読み出された各種プログラムやこれらプログラムに係るデータ等をメモリエリアに一時的に記憶する。
【００５３】
ＲＯＭ１６は、ＣＰＵ１４によって実行される各種データ処理プログラムの他、データ処理プログラムに係る各種初期設定値等を格納する。具体的には、ＲＯＭ１６は、判定画像データ記憶制御プログラム１６１と、判断プログラム１６２と、履歴情報記憶制御プロ
グラム１６３と、履歴情報表示制御プログラム１６４と、表示停止プログラム１６５と、モード選択プログラム１６６と、等を格納する。
【００５４】
判定画像データ記憶制御プログラム１６１は、所定の起動画像に係る起動画像データを、予め判定画像データとして記憶部１２に記憶させるためのプログラムであって、ＣＰＵ１４は、当該判定画像データ記憶制御プログラム１６１を実行することにより、判定画像データ記憶制御手段として機能する。
【００５５】
具体的には、ＣＰＵ１４は、予めテレビジョン受像機１００に入力された起動画像データと、例えば、当該起動画像データに対して操作部１３を介して入力された記憶指示に基づいて、当該起動画像データを判定画像データとして記憶部１２に記憶させる。
【００５６】
判断プログラム１６２は、Ｉ／Ｆ部１１を介して入力された外部画像データ中に、記憶部１２に記憶された判定画像データと同一の起動画像データがあるか否かを判断するためのプログラムであって、ＣＰＵ１４は、当該判断プログラム１６２を実行することにより、判断手段として機能する。
【００５７】
具体的には、ＣＰＵ１４は、Ｉ／Ｆ部１１を介して入力された外部画像データから起動画像データを抽出し、当該起動画像データと、記憶部１２より読み出された判定画像データを照会することによって、起動画像データと判定画像データが一致するか否かを判断する。記憶部１２に、判定画像データが複数記憶される場合には、ＣＰＵ１４は、外部画像データと、各判定画像データとの照会を実行する。
【００５８】
履歴情報記憶制御プログラム１６３は、判断手段によって、外部画像データ中に、判定画像データと同一の起動画像データがあると判断された場合に、外部画像データが入力された日時と、当該外部画像データが入力された回数を、履歴情報として、記憶部１２に記憶させるためのプログラムであって、ＣＰＵ１４は、当該履歴情報記憶制御プログラム１６３を実行することにより、履歴情報記憶制御手段として機能する。
【００５９】
具体的には、ＣＰＵ１４は、外部画像データがテレビジョン受像機１００に送信されて、ＣＰＵ１４に入力されると、当該外部画像データが入力された日時である入力日時にかかる入力日時データを、信号処理部１に内蔵された日時計数回路（図示省略）より取得して、ＲＡＭ１５に一時的に記憶させる。そして、判断手段によって、判定画像データと同一の起動画像データがあると判断されると、当該起動画像データに係る入力日時データをＲＡＭ１５より読み出して、これを、当該起動画像データと同一のデータである判定画像データと対応付けて、記憶部１２に記憶させる。
【００６０】
また、ＣＰＵ１４は、判断手段によって、判定画像データと同一の起動画像データがあると判断されると、記憶部１２に記憶され、当該機動画像データと同一の画像データである判定画像データの画像入力カウンタを「＋１」にする。
【００６１】
従って、記憶部１２に記憶される判定画像データには、入力日時データの入力日時と、画像カウンタで計数される入力回数が、当該判定画像データに対応付けられて履歴情報として蓄積されていく。
【００６２】
履歴情報は、例えば、入力日時データと入力回数データからなる履歴情報データが、判定画像データの記憶部１２における記憶場所と対応付けられて、履歴情報ファイルに格納される。
【００６３】
尚、履歴情報は任意のタイミングでリセットしても構わない。例えば、履歴情報が膨大になってしまった場合には、操作部１３を介して、入力日時データを削除し、画像入力カウンタを「０」にリセットすることができる。
【００６４】
履歴情報表示制御プログラム１６４は、記憶部１２に記憶された履歴情報を、モニタ３に表示させるためのプログラムであって、ＣＰＵ１４は、当該履歴情報表示制御プログラム１６４を実行することにより、履歴情報表示制御手段として機能する。
【００６５】
具体的には、ＣＰＵ１４は、記憶部１２より、履歴情報が格納される履歴情報ファイルを読み出し、当該履歴情報ファイルから、所望の履歴情報データを取得して、取得した履歴情報データをモニタ３に出力し、当該履歴情報データに基づく履歴情報をモニタ３に表示させる。
【００６６】
表示停止プログラム１６５は、判断手段によって、外部画像データ中に,判定画像デー
タと同一の起動画像データがあると判断された場合に、モニタ３における、外部画像データに基づく画像の表示を停止させるためのプログラムであって、ＣＰＵ１４は、当該表示停止プログラム１６５を実行することにより、表示停止手段として機能する。
【００６７】
具体的には、ＣＰＵ１４は、判断手段によって判定画像データと同一の起動画像データがあると判断されることをきっかけに、Ｉ／Ｆ部１１を介して入力された外部画像データの、モニタ３への出力を中止させて、モニタ３における表示を停止させる。
【００６８】
モード選択プログラム１６６は、履歴情報記憶制御手段と履歴情報表示制御手段による動作を実行させるモードと、表示停止手段による動作を実行させるモードの、何れかのモードを選択することができるプログラムであって、ＣＰＵ１４は、当該モード選択プログラム１６６を実行することによって、モード選択手段として機能する。
【００６９】
具体的には、ＣＰＵ１４は、操作部１３を介して、モニタ３にモード選択画像の表示指示が入力されると、履歴情報記憶制御手段と履歴情報表示制御手段による動作を実行させるゲーム監視モードを意味するゲーム監視モード画像と、表示停止手段による動作を実行させるゲーム停止モードを意味するゲーム停止モード画像と、等を含むモード選択画像を表示する。さらに、ＣＰＵ１４は、操作部１３を介して何れかのモードを選択する旨の指示が入力されると、選択されたモードにおいて実行される動作以外の動作が実行されないように制限をかける。
【００７０】
以下に、本発明のテレビジョン受像機１００が実行するゲーム監視及び停止処理について、図３のフローチャートを用いて説明する。
【００７１】
この場合、ユーザの操作によって、所定の起動画像に係る起動画像データが、予め判定画像データとして記憶部１２に記憶されている。
【００７２】
ゲーム監視及び停止処理は、ユーザによって、モード選択画像の表示指示が入力されることによって開始される。
【００７３】
操作部１３より、モード選択画像の表示指示が入力されると（ステップＳ１）、ＣＰＵ１４は、ＲＯＭ１６よりモード選択プログラム１６６を読み出してＲＡＭ１５の所定のワークスペースに展開して実行することにより、モニタ３に、ゲーム監視モードとゲーム停止モードを選択可能なモード選択画像を表示する（ステップＳ２）。
【００７４】
次いで、ＣＰＵ１４は、操作部１３より、何れかのモードを実行する旨の指示が入力されたか否かを判断する（ステップＳ３）。
【００７５】
ＣＰＵ１４が、モードを選択する旨の指示が入力されたと判断すると（ステップＳ３；Ｙｅｓ）、ＣＰＵ１４は、ゲーム監視モードを選択する旨の指示が入力されたか否かを判断する（ステップＳ４）。
【００７６】
ＣＰＵ１４が、ゲーム監視モードを選択する旨の指示が入力されたと判断すると（ステップＳ４；Ｙｅｓ）、ＣＰＵ１４は、ゲーム監視モードにおいて実行される動作以外の動作が実行されないよう制限をかけた上で（ステップＳ５）、ステップＳ６に移行する。
【００７７】
ステップＳ６では、ＣＰＵ１４は、Ｉ／Ｆ部１１より外部画像データが入力されたか否かを判断する（ステップＳ６）。
【００７８】
ＣＰＵ１４が、外部画像データが入力されたと判断すると（ステップＳ６；Ｙｅｓ）、ＣＰＵ１４は、ＲＯＭ１６から判断プログラム１６２を読み出してＲＡＭ１５の所定のワークスペースに展開して実行することにより、記憶部１２より判定画像データを読み出し、また、入力された外部画像データより起動画像データを抽出し、判定画像データと起動画像データが同一であるか否かを判断する（ステップＳ７）。
【００７９】
ＣＰＵ１４が、判定画像データと起動画像データが同一であると判断すると（ステップＳ７；Ｙｅｓ）、ＣＰＵ１４は、ＲＯＭ１６より履歴情報記憶制御プログラム１６３を読み出してＲＡＭ１５の所定のワークスペースに展開して実行することにより、判定画像データと同一の起動画像データを含む外部画像データが入力された日時と、この外部画像データが入力された回数に係る履歴情報を、履歴情報ファイルに格納することにより、記憶部１２に記憶させて（ステップＳ８）、本処理を終了する。
【００８０】
ステップＳ３において、ＣＰＵ１４が、モードを選択する旨の指示が入力されていないと判断すると（ステップＳ３；Ｎｏ）、ＣＰＵ１４は、繰り返し、モードを選択する旨の指示が入力されたか否かを判断する。
【００８１】
また、ステップＳ６において、ＣＰＵ１４が、外部画像データが入力されていないと判断すると（ステップＳ６；Ｎｏ）、ＣＰＵ１４は、外部画像データが入力されるまで、繰り返し、外部画像データが入力されたか否かを判断する。
【００８２】
さらに、ステップＳ７において、ＣＰＵ１４が、判定画像データと起動画像データが同一ではないと判断すると（ステップＳ７；Ｎｏ）、ＣＰＵ１４は、履歴情報を作成することなく、本処理を終了する。
【００８３】
他方、ステップＳ４において、ＣＰＵ１４が、入力された指示が、ゲーム監視モードを選択する指示ではないと判断すると（ステップＳ４；Ｎｏ）、ＣＰＵ１４は、ゲーム停止モードを選択する旨の指示が入力されたと判断して、ゲーム停止モードにおいて実行される動作以外の動作が実行されないよう制限をかけた上で（ステップＳ９）、ステップＳ１０に移行する。
【００８４】
ステップＳ１０では、ＣＰＵ１４は、Ｉ／Ｆ部１１より外部画像データが入力されたか否かを判断する。
【００８５】
ＣＰＵ１４が、外部画像データが入力されたと判断すると（ステップＳ１０；Ｙｅｓ）、ＣＰＵ１４は、ＲＯＭ１６から判断プログラム１６２を読み出してＲＡＭ１５の所定のワークスペースに展開して実行することにより、記憶部１２より判定画像データを読み出し、また、入力された外部画像データより起動画像データを抽出し、判定画像データと起動画像データが同一であるか否かを判断する（ステップＳ１１）。
【００８６】
ＣＰＵ１４が、判定画像データと起動画像データが同一であると判断すると（ステップＳ１１；Ｙｅｓ）、ＣＰＵ１４は、ＲＯＭ１６より表示停止プログラム１６５を読み出してＲＡＭ１５の所定のワークスペースに展開して実行することにより、外部画像データのモニタ３への出力を中止し、当該外部画像データに基づく画像の表示を停止させて（ステップＳ１２）、本ゲーム監視及び停止処理を終了する。
【００８７】
ステップＳ１０において、ＣＰＵ１４が、外部画像データが入力されていないと判断すると（ステップＳ１０；Ｎｏ）、ＣＰＵ１４は、外部画像データが入力されるまで、繰り返し、外部画像データが入力されたか否かを判断する。
【００８８】
また、ステップＳ１１において、ＣＰＵ１４が、判定画像データと起動画像データが同一ではないと判断すると（ステップＳ１１；Ｎｏ）、ＣＰＵ１４は、何れの処理も実行す
ることなく、本処理を終了する。
【００８９】
そして、ＣＰＵ１４は、操作部１３を介して、モニタ３に履歴情報を表示する旨の指示が入力されたと判断した場合には、ＲＯＭ１６より履歴情報表示制御プログラム１６４を読み出してＲＡＭ１５の所定のワークスペースに展開して実行することにより、記憶部１２より読み出した履歴情報データをモニタ３に出力して、当該履歴情報データに基づく履歴情報をモニタ３に表示させる。
【００９０】
尚、本実施形態においては、判断手段が、判定画像データと同一の起動画像データがあると判断した場合には、表示停止手段が、直ぐにモニタ３における画像の表示を停止することとしたが、例えば、判断手段が同一の画像データである旨の判断をした場合に、所定時間経過後、モニタ３における画像の表示を停止することとしても構わない。
【００９１】
また、起動画像として、画像データを含むコンテンツ固有のマークやタイトル文字が入った画像を用いることとしたが、例えば、製作会社のロゴマークを含む画像と、コンテンツ固有の画像を組み合わせることによって、同一の製作会社によって製作されたコンテンツであっても、予め指定したゲームについては、履歴情報の記憶が行われたり、モニタの表示が停止されるといった制限をかけることができ、他方、指定しなかったゲームについては、制限をかけずに自由に遊ばせることができる。
【００９２】
以上に説明したテレビジョン受像機１００によると、予め記憶部１２に記憶された所定の画像に係る判定画像データを有する画像データを含むコンテンツが起動された場合に限って、当該画像データを含むコンテンツが起動された日時とその回数が履歴情報として記憶部１２に記憶され、後でこれを確認することができる。これにより、記憶部１２に記憶された、外部画像データが入力された日時とその回数に基づいて画像データを含むコンテンツの起動状況を把握することができることとなって、例えば、親が、子供がどの程度特定の画像データを含むコンテンツを使用しているかを把握出来ることとなり、子供の自主性を重んじながらも、必要によっては注意を促すことができ、画像データを含むコンテンツの画像データに基づく画像が表示されることによってもたらされる悪影響を効果的に防止することができる。
【００９３】
また、予め特定の画像データを含むコンテンツを選択して判定画像データを設定することが出来るため、パレンタルコードのように一律な規制ではなく、子供の成長に合わせた、柔軟性のある効果的な制限をかけることができる。
【００９４】
さらに、予め特定された所定の画像に係る判定画像データを有する画像データを含むコンテンツが起動された場合に限って、モニタ３に画像が表示されないこととなる。これにより、例えば、親が子供に対して悪影響が著しいと判断した画像データを含むコンテンツの場合には、注意を促すだけではなく、強制的に画像の表示を停止させることができるため、画像データを含むコンテンツの画像データに基づく画像が表示されることによってもたらされる悪影響を効果的に防止することができる。
【００９５】
そして、履歴情報を記憶して、記憶された履歴情報を表示するゲーム監視モードと、モニタ３における画像表示を停止させるゲーム停止モードとの何れか一方のモードを選択することができることにより、必要に応じて各モードでの処理を切替えることができ、利便性が向上する。
【００９６】
その上、起動時に起動される起動画像に係る起動画像データを判定画像データとして、外部画像データと同一であるか否かの判断がされることとなるため、画像データを含むコンテンツの起動時に判断が行われることとなり、早い段階で、履歴情報を記憶したり、画像表示を停止することができる。
【００９７】
［実施形態２］
次に、本発明の第２の実施形態を、図面を参照しながら詳細に説明する。ただし、発明の範囲は図示例に限られない。尚、テレビジョン受像機１００と同一の構造については、
同一の符号を付して説明を省略する。
【００９８】
図４は、本発明を適用した好適な実施の形態として例示する、画像表示装置としてのテレビジョン受像機２００の内部構成を示すブロック図である。図４に示すように、テレビジョン受像機２００は、電気的に接続されたゲーム機器２から、コンテンツに記憶された音声データと画像データを受信する信号処理部２０１と、信号処理部２０１より出力された画像データに基づく画像を表示する、表示手段としてのモニタ３と、信号処理部２０１より出力された音声データに基づいて音声を出力するスピーカ４と、等を備えて構成される。
【００９９】
図４に示すように、信号処理部２０１は、画像データ入力手段としてのＩ／Ｆ部１１と、記憶部１２と、操作部１３と、ＣＰＵ（Central  Processing  Unit）１４と、ＲＡＭ
（Random  Access  Memory）１５と、ＲＯＭ（Read  Only  Memory）２１６と、等を備えて構成される。
【０１００】
ＲＯＭ２１６は、ＣＰＵ１４によって実行される各種データ処理プログラムの他、データ処理プログラムに係る各種初期設定値等を格納する。具体的には、ＲＯＭ２１６は、判定画像データ記憶制御プログラム１６７と、判断プログラム１６８と、外部画像データ表示制御プログラム１６９と、等を格納する。
【０１０１】
判定画像データ記憶制御プログラム１６７は、コンテンツに記憶された所定の画像に係る画像データを、判定画像データとして記憶部１２に記憶させるためのプログラムであって、ＣＰＵ１４は、当該判定画像データ記憶制御プログラム１６７を実行することにより、判定画像データ記憶制御手段として機能する。
【０１０２】
具体的には、ＣＰＵ１４は、予めテレビジョン受像機１００に入力された画像データと、例えば、当該画像データに対して操作部１３を介して入力された記憶指示に基づいて、当該画像データを判定画像データとして記憶部１２に記憶させる。
【０１０３】
判断プログラム１６８は、Ｉ／Ｆ部１１を介して入力された外部画像データの中に、記憶部１２に記憶された判定画像データと同一の画像データがあるか否かを判断する為のプログラムであって、ＣＰＵ１４は、当該判断プログラム１６８を実行することにより、判断手段として機能する。
【０１０４】
具体的には、ＣＰＵ１４は、Ｉ／Ｆ部１１を介して入力された外部画像データから順次画像データを抽出し、当該画像データと、記憶部１２より読み出された判定画像データを照会することによって、画像データと判定画像データが一致するか否かを判断する。記憶部１２に、判定画像データが複数記憶される場合には、ＣＰＵ１４は、外部画像データに含まれる画像データと、記憶部１２に記憶される各判定画像データとの照会を実行する。
【０１０５】
外部画像データ表示制御プログラム１６９は、判断手段によって、外部画像データ中に判定画像データと同一の画像データがあると判断された場合に、外部画像データに基づく画像をモニタ３に表示させるためのプログラムであって、ＣＰＵ１４は、当該外部画像データ表示制御プログラム１６９を実行することにより、外部画像データ表示制御手段として機能する。
【０１０６】
具体的には、ＣＰＵ１４は、入力された外部画像データをモニタ３に出力することによって、モニタ３に外部画像データに基づく画像を表示させる。
【０１０７】
次に、本発明のテレビジョン受像機２００が実行する画像表示処理について、図５のフローチャーとを用いて説明する。
【０１０８】
この場合、ユーザの操作によって、所定の画像に係る画像データが、予め判定画像データとして記憶部１２に記憶されている。
【０１０９】
画像表示処理は、ゲーム機器（図示省略）よりテレビジョン受像機２００に外部画像データが送信されることにより開始される。
【０１１０】
Ｉ／Ｆ部１１を介して、外部画像データがＣＰＵ１４に入力されると（ステップＳ２０１）、ＣＰＵ１４はＲＯＭ２１６から判断プログラム１６８を読み出してＲＡＭ１５の所定のワークスペースに展開して実行することにより、記憶部１２より判定画像データを読み出し、また、入力された外部画像データより順次画像データを抽出し、判定画像データと画像データが同一であるか否かを判断する（ステップＳ２０２）。
【０１１１】
ＣＰＵ１４が、画像データと判定画像データが同一であると判断すると（ステップＳ２０２；Ｙｅｓ）、ＣＰＵ１４は、ＲＯＭ１６より外部画像データ表示制御プログラム１６９を読み出してＲＡＭ１５の所定のワークスペースに展開して実行することにより、外部画像データをモニタ３に出力して、当該外部画像データに基づく画像をモニタ３に表示させて（ステップＳ２０３）、画像表示処理を終了する。
【０１１２】
一方、ステップＳ２０２において、ＣＰＵ１４が、画像データと判定画像データが同一でないと判断すると（ステップＳ２０２；Ｎｏ）、ＣＰＵ１４は、所定の処理を実行せずに、本処理を終了する。
【０１１３】
以上に説明したテレビジョン受像機２００によっては、予め記憶された所定の画像に係る判定画像データを有する画像データを含むコンテンツが起動された場合に限って、当該画像データを含むコンテンツから出力された外部画像データに基づく画像がモニタ３に表示されることとなる。即ち、子どもに悪影響を与えないと判断された所定の画像データを含むコンテンツが起動された場合に限って、選択的に、当該画像データを含むコンテンツの画像データに基づく画像がモニタ３に表示されることとなる。これにより、例えば、親が子供に対して悪影響が著しいと判断した画像データを含むコンテンツについては、当該画像データを含むコンテンツの画像データを判定画像データとして設定しないことにより、画像データを含むコンテンツの画像データに基づく画像が表示されないこととなり、子どもに対する悪影響を効果的に防止することができる。
【０１１４】
また、予め特定の画像データを含むコンテンツを選択して判定画像データを設定することが出来るため、パレンタルコードのように一律な規制ではなく、子どもの成長に合わせた、柔軟性のある効果的な制限をかけることができる。
【０１１５】
尚、外部機器としては、ゲーム機器に限られず、例えばＤＶＤ（Digital Versatile  Disk）再生装置等の、テレビジョン受像機と電気的に接続可能であって、テレビジョン受
像機に画像データを出力可能な装置であれば良い。
【０１１６】
また、ＤＶＤ再生装置がテレビジョン受像機に内蔵された、所謂ＤＶＤ再生装置一体型のテレビジョン受像機においては、ＤＶＤ入力端子から入力される画像データを外部画像データと認識させることによって、本発明の効果を実現することができる。
【０１１７】
また、画像表示装置としてテレビジョン受像器を例示したが、モニタを有し、外部機器と接続可能な装置であればどのような装置であってもよく、例えば、表示装置付きパーソナルコンピュータでもよい。
【０１１８】
また、表示部は、画像表示制御装置である信号処理部と一体化されていなくてもよく、ケーブル等を介して外部接続されるようにしてもよい。
【０１１９】
そして、記憶部は、画像表示制御装置である信号処理部と一体化されていなくてもよく、ケーブル等を介して外部接続されるようにしてもよい。
【図面の簡単な説明】
【０１２０】
【図１】テレビジョン受像機１００とゲーム機器２を説明するための概略図である。
【図２】テレビジョン受像機１００の内部構成を示すブロック図である。
【図３】テレビジョン受像機１００によるゲーム監視及び停止処理を説明するためのフローチャートである。
【図４】テレビジョン受像機２００の内部構成を示すブロック図である。
【図５】テレビジョン受像機２００による画像表示処理を説明するためのフローチャートである。
【符号の説明】
【０１２１】
１  信号処理部（画像表示制御装置）
１１  Ｉ／Ｆ部（画像データ入力手段）
１２  記憶部（記憶手段、記憶部）
１３  操作部
１４  ＣＰＵ（判定画像データ記憶制御手段、判断手段、履歴情報記憶制御手段、履歴情報表示制御手段、表示停止手段、モード選択手段）
１５  ＲＡＭ
１６  ＲＯＭ
１６１  判定画像データ記憶制御プログラム
１６２  判断プログラム
１６３  履歴情報記憶制御プログラム
１６４  履歴情報表示制御プログラム
１６５  表示停止プログラム
１６６  モード選択プログラム
２  ゲーム機器
３  モニタ（表示手段、表示部）
４  スピーカ
２０１  信号処理部（画像表示制御装置）
１４    ＣＰＵ（判定画像データ記憶制御手段、判断手段、外部画像データ表示制御手段）
２１６  ＲＯＭ
１６７  判定画像データ記憶制御プログラム
１６８  判断プログラム
１６９  外部画像データ表示制御プログラム
１００、２００  テレビジョン受像機（画像表示装置）
【図１】
2006235542.tif 000003
【図２】
2006235542.tif 000004
【図３】
2006235542.tif 000005
【図４】
2006235542.tif 000006
【図５】
2006235542.tif 000007